(57)【特許請求の範囲】
【請求項１】
肉厚が０．１ｍｍ以下の可撓性フィルムを袋状に閉じた状態として内部に粘性流体を封入し、該フィルムの互いに対向する平坦部分に、支持部材及び被支持部材に取付固定されてそれらと一体移動する、該フィルムとは別体をなす取付部を固設し、それら支持部材と被支持部材とが相対変位したとき全体的に形状変化して内部の粘性流体を流動させることにより振動減衰するように成したことを特徴とする粘性流体封入ダンパー。
【請求項２】
請求項１において、前記可撓性フィルムの肉厚が数μｍ以上であることを特徴とする粘性流体封入ダンパー。
【発明の詳細な説明】
【０００１】
【産業上の利用分野】
この発明は内部に粘性流体を封入して成るダンパーに関する。
【０００２】
【従来の技術】
車両等にＣＤプレーヤを搭載する場合、車両等の振動がそのままＣＤプレーヤの本体ユニットに伝達されて音飛びを生ずるのを防止すべく、従来図２（Ａ）に示しているようにスプリング１０１を介して支持したＣＤプレーヤの本体ユニット１００と支持部材（フレーム）１０２との間に粘性流体封入ダンパー１０４を介在させることが行なわれている。
【０００３】
図２（Ｂ）はかかるダンパー１０４として従来用いられているものの具体的な構造を示したもので、図示のようにこのダンパー１０４はゴム等からなる厚肉且つ円筒形状の周壁部１０６と、底部１０８と、薄肉襞状の可撓部１１０と、可撓部１１０により浮動状態に弾性支持された撹拌部１１２とを有し、これらにより密閉された空間内に粘性流体１１４が封入されている。
【０００４】
撹拌部１１２には嵌合穴部１１６が設けられていてそこに金属等から成る剛性の軸体１１８が嵌入され、かかる軸体１１８を介して撹拌部１１２が支持部材（又は被支持部材）に結合されている。
【０００５】
このダンパー１０４は、支持部材と被支持部材との相対変位に基づいて粘性流体１１４中に突入した撹拌部１１２がその内部で泳動し、その際の撹拌作用により、即ち粘性流体１１４の粘性流動によりエネルギー吸収し、振動伝達を遮断ないし抑制する。
【０００６】
【発明が解決しようとする課題】
このダンパー１０４の場合、撹拌部１１２の変位に伴う粘性流体１１４の撹拌作用に基づいて振動吸収を行なう関係上、周壁部１０６，底部１０８等については変形をできるだけ抑制すべくこれらを厚肉に構成する必要があり、また内部に撹拌部１１２を突入させた上その撹拌部１１２に嵌合穴部１１６を設けなければならないことから、全体の形状が複雑であり、製造コストが高くなるといった問題がある。
【０００７】
加えてこのダンパー１０４は、高減衰を得るために周壁部１０６，底部１０８等から成る容器の深さを深くした上、撹拌部１１２の粘性流体１１４中への突入長さを長くすることが必要であり、そのためにダンパー１０４の取付スペースが広くなってしまう問題がある。
【０００８】
またこのダンパー１０４は、撹拌部１１２が図中上下方向（又は紙面に直角方向）に変位したときに特に減衰効果が高く、図中左右方向に変位したときの減衰効果が相対的に低い等、減衰特性に方向性がある問題があり、また取付けに際して軸体１１８を必要とする等の問題があった。
【０００９】
【課題を解決するための手段】
本発明の粘性流体封入ダンパーはこのような課題を解決するために案出されたものである。
而して請求項１のものは、肉厚が０．１ｍｍ以下の可撓性フィルムを袋状に閉じた状態として内部に粘性流体を封入し、該フィルムの互いに対向する平坦部分に、支持部材及び被支持部材に取付固定されてそれらと一体移動する、該フィルムとは別体をなす取付部を固設し、それら支持部材と被支持部材とが相対変位したとき全体的に形状変化して内部の粘性流体を流動させることにより振動減衰するように成したことを特徴とする。
【００１０】
請求項２のものは、請求項１において、前記可撓性フィルムの肉厚が数μｍ以上であることを特徴とする。
【００１１】
【作用及び発明の効果】
以上のように本発明のダンパーは、可撓性フィルムを袋状に閉じて内部に粘性流体を封入した形態のもので、全体が全方向に可撓性を有するものである。
本発明のダンパーの場合、支持部材と被支持部材とが相対変位するとダンパーがこれに追従して全体的に形状変化し、これに伴って内部の粘性流体を粘性流動させて、その際のエネルギー吸収により振動減衰を行なう。
【００１２】
本発明のダンパーは言わば不定形のもので、図２（Ｂ）に示す従来のダンパーのように複雑形状に成形する必要がないし、また略全方向に対し良好な振動減衰効果を発揮する。
【００１３】
加えて撹拌部の撹拌作用に基づいて振動減衰を行なう従来のダンパーのように撹拌部を長くしたり容器内部を深くしたりする必要がなく、形状がコンパクトであって占有スペースが少なくて済み、また取付用の剛性の軸体も必要としない等利点を有する。
【００１４】
【実施例】
次に本発明の実施例を図面に基づいて詳しく説明する。
図１において１０はＣＤプレーヤにおける本体ユニットのメカデッキで、１２は支持フレームであり、それらの間にダンパー１４が介装されている。
【００１５】
ダンパー１４は、２枚の可撓性の樹脂フィルム１６を互いに重ね合せた上周縁部を閉じ合せて袋状と成し、内部に高粘性流体（シリコーンオイル）１８を封入した形態のもので、各フィルム１６の中央部分に所定面積範囲に亘って取付部材２０が接着固定され、それら取付部材２０がメカデッキ１０及び支持フレーム１２に固定されている。
【００１６】
ここで樹脂フィルム１６としては、硬さの温度依存性の小さい且つ肉厚が極めて薄い（数μｍ〜０．１ｍｍ）ＰＥ（ポリエチレン樹脂），ＰＥＴ（ポリエステル樹脂），ＰＡ（ポリアミド樹脂）等の樹脂が用いられている。
【００１７】
本例のダンパー１４は、メカデッキ１０及び支持フレーム１２が相対変位したとき全体的に形状変化してこれに追従し、その際に内部の高粘性流体１８を粘性流動させてエネルギー吸収し、振動減衰を行なう。
【００１８】
本例のダンパー１４は、単に樹脂フィルム１６を袋状に閉じ合せて内部に高粘性流体１８を封入しただけの簡単なもので、安価に製造でき、取付スペースも少なくて済む利点を有する。
また減衰特性に特に方向性が無く、全ての方向の振動を良好に減衰する外、各方向における減衰特性も優れている。
【００１９】
表１はこの形態のダンパー１４の減衰特性を図２に示す形態の従来のダンパーとの比較において示したものである。
但しこの表の値は、フィルム１６として厚さ１５μｍのポリアミド樹脂フィルムを用いた、大きさ３０ｍｍ角（正方形），全体の厚みが５ｍｍのダンパーにおける実験結果を示している。
【００２０】
【表１】
0003652379.tif 000002
【００２１】
表１の結果から、本例のダンパー１４の場合、広い温度範囲に亘って良好な振動減衰特性を示すことが分る。
【００２２】
尚本例のダンパー１４における樹脂フィルム１６の適正な厚みはダンパー１４全体の大きさに応じて変わってくるが、例えば上記のような３０ｍｍ角の大きさのダンパーの場合、厚さ０．１ｍｍ以下とすることが望ましい。
またフィルム１６に対する取付部材２０の接着面積は片側全面積に対して３０％以上とすることが望ましい。
【００２３】
以上本発明の実施例を詳述したがこれはあくまで一例示であり、本発明は可撓性フィルムをゴム材にて構成することも可能であるなど、その主旨を逸脱しない範囲において、当業者の知識に基づき様々な変更を加えた形態で構成可能である。
【図面の簡単な説明】
【図１】本発明の一実施例であるダンパーの図である。
【図２】本発明の背景説明のための説明図である。
【符号の説明】
１０  メカデッキ
１２  支持フレーム
１４  ダンパー
１６  樹脂フィルム
１８  粘性流体
２０  取付部材
【図１】
0003652379.tif 000003
【図２】
0003652379.tif 000004